【手続補正書】
【提出日】平成30年12月13日(2018.12.13)
【手続補正１】
【補正対象書類名】特許請求の範囲
【補正対象項目名】全文
【補正方法】変更
【補正の内容】
【特許請求の範囲】
【請求項１】
複数の対象画像から複数の選抜画像を選抜する選抜手段と、
前記複数の選抜画像を順次再生するためのデータを生成する生成手段と、
前記複数の対象画像をクラスタ分割するクラスタ分割手段と、
前記クラスタ分割手段で分割したクラスタの中から所定のクラスタを選択するクラスタ選択手段と、
前記クラスタ選択手段で選択したクラスタについて、未選抜画像が所定の枚数以上である場合、未選抜画像の少なくとも一部を選択する画像選択手段とを有し、
前記生成手段は、前記画像選択手段で選択した未選抜画像の一覧画面が再生されるように前記データを生成することを特徴とする画像処理装置。
【請求項２】
前記生成手段は、前記複数の選抜画像と前記一覧画面とを画像の撮影日時に基づく順序で順次再生する動画像ファイルを生成することを特徴とする請求項１に記載の画像処理装置。
【請求項３】
前記画像選択手段は、前記クラスタ選択手段で選択したクラスタについて、未選抜画像が所定の枚数以上である場合、未選抜画像を複数の組に分割し、分割した各組の中から未選抜画像を選択することを特徴とする請求項１又は２に記載の画像処理装置。
【請求項４】
前記クラスタ分割手段は、前記複数の対象画像を日付でクラスタ分割することを特徴とする請求項１乃至３のいずれか１項に記載の画像処理装置。
【請求項５】
前記クラスタ分割手段は、複数の日付にまたがらない場合は時間でクラスタ分割することを特徴とする請求項４に記載の画像処理装置。
【請求項６】
前記クラスタ選択手段は、前記クラスタ分割手段で分割したクラスタの中から最も多くの画像を含むクラスタを選択することを特徴とする請求項１乃至５のいずれか１項に記載の画像処理装置。
【請求項７】
前記一覧画面の再生位置を、前記クラスタ選択手段で選択したクラスタに含まれる選抜画像の前又は後とすることを特徴とする請求項１乃至６のいずれか１項に記載の画像処理装置。
【請求項８】
前記クラスタ選択手段で選択したクラスタに応じて、前記一覧画面の再生位置を決定する決定手段を備えたことを特徴とする請求項１乃至６のいずれか１項に記載の画像処理装置。
【請求項９】
前記生成手段は、前記複数の選抜画像と前記一覧画面とを画像の撮影日時に基づいて時系列で再生するデータを生成し、
前記クラスタ選択手段は、前記複数の対象画像を、撮影日時に基づいてクラスタ分割し、
前記決定手段は、
前記クラスタ選択手段で選択したクラスタの撮影日時が、全選抜画像の時系列の中で前半にある場合、前記一覧画面の再生位置を、該クラスタに含まれる選抜画像のうち最も撮影時刻の遅い画像の後とし、
前記クラスタ選択手段で選択したクラスタの撮影日時が、全選抜画像の時系列の中で中盤又は後半にある場合、前記一覧画面の再生位置を、該クラスタに含まれる選抜画像のうち最も撮影時刻の早い画像の前とすることを特徴とする請求項８に記載の画像処理装置。
【請求項１０】
前記画像選択手段では、縦画像の優先度を下げて未選抜画像を選択することを特徴とする請求項１乃至９のいずれか１項に記載の画像処理装置。
【請求項１１】
複数の対象画像から再生対象とする複数の選抜画像を選抜する選抜手段と、
前記複数の選抜画像を日付でクラスタ分割するクラスタ分割手段と、
前記クラスタ分割手段で分割した各クラスタのうち、選抜画像が所定の枚数以上であるクラスタから選抜画像を選択する画像選択手段と、
前記複数の選抜画像を時系列で再生するためのデータを生成する生成手段とを有し、
前記生成手段は、前記画像選択手段で選択した選抜画像は、該選抜画像が属するクラスタの日付情報が同時に表示されるように前記データを生成することを特徴とする画像処理装置。
【請求項１２】
前記生成手段は、前記画像選択手段で選択した選抜画像の一覧画面を生成し、
前記一覧画面には、選抜画像が前記所定の枚数以上でないクラスタに含まれる選抜画像を一画面に複数枚含めるとともに、該表示する選抜画像が属するクラスタの日付情報を含めることを特徴とする請求項１１に記載の画像処理装置。
【請求項１３】
前記生成手段は、前記画像選択手段で選択した選抜画像の一覧画面を生成し、
前記一覧画面には、選抜画像が前記所定の枚数以上でない複数のクラスタに含まれる選抜画像を一画面に複数枚含めるとともに、前記複数のクラスタの日付情報を含めることを特徴とする請求項１１に記載の画像処理装置。
【請求項１４】
前記一覧画面の再生位置を、該表示する選抜画像が属するクラスタに含まれる選抜画像の前記時系列での前とすることを特徴とする請求項１２又は１３に記載の画像処理装置。
【請求項１５】
前記画像選択手段では、縦画像の優先度を下げて選抜画像を選択することを特徴とする請求項１１乃至１４のいずれか１項に記載の画像処理装置。
【請求項１６】
複数の対象画像から複数の選抜画像を選抜する選抜ステップと、
前記複数の対象画像をクラスタ分割するクラスタ分割ステップと、
前記クラスタ分割ステップで分割したクラスタの中から所定のクラスタを選択するクラスタ選択ステップと、
記クラスタ選択ステップで選択したクラスタについて、未選抜画像が所定の枚数以上である場合、未選抜画像の少なくとも一部を選択する画像選択ステップと、
前記複数の選抜画像を順次再生するためのデータであって、前記画像選択ステップで選択した未選抜画像の一覧画面が再生されるように前記データを生成する生成ステップとを有することを特徴とする画像処理装置の制御方法。
【請求項１７】
複数の対象画像から再生対象とする複数の選抜画像を選抜する選抜ステップと、
前記複数の選抜画像を日付でクラスタ分割するクラスタ分割ステップと、
前記クラスタ分割ステップで分割した各クラスタのうち、選抜画像が所定の枚数以上であるクラスタから選抜画像を選択する画像選択ステップと、
前記複数の選抜画像を時系列で再生するためのデータであって、前記画像選択ステップで選択した選抜画像は、該選抜画像が属するクラスタの日付情報が同時に表示されるように前記データを生成する生成ステップとを有することを特徴とする画像処理装置の制御方法。
【請求項１８】
複数の対象画像から複数の選抜画像を選抜する選抜手段と、
前記複数の選抜画像を順次再生するためのデータを生成する生成手段と、
前記複数の対象画像をクラスタ分割するクラスタ分割手段と、
前記クラスタ分割手段で分割したクラスタの中から所定のクラスタを選択するクラスタ選択手段と、
前記クラスタ選択手段で選択したクラスタについて、未選抜画像が所定の枚数以上である場合、未選抜画像の少なくとも一部を選択する画像選択手段としてコンピュータを機能させ、
前記生成手段は、前記画像選択手段で選択した未選抜画像の一覧画面が再生されるように前記データを生成することを特徴とするプログラム。
【請求項１９】
複数の対象画像から再生対象とする複数の選抜画像を選抜する選抜手段と、
前記複数の選抜画像を日付でクラスタ分割するクラスタ分割手段と、
前記クラスタ分割手段で分割した各クラスタのうち、選抜画像が所定の枚数以上であるクラスタから選抜画像を選択する画像選択手段と、
前記複数の選抜画像を時系列で再生するためのデータを生成する生成手段としてコンピュータを機能させ、
前記生成手段は、前記画像選択手段で選択した選抜画像は、該選抜画像が属するクラスタの日付情報が同時に表示されるように前記データを生成することを特徴とするプログラム。
【手続補正２】
【補正対象書類名】明細書
【補正対象項目名】０００６
【補正方法】変更
【補正の内容】
【０００６】
本発明の画像処理装置は、複数の対象画像から複数の選抜画像を選抜する選抜手段と、前記複数の選抜画像を順次再生するためのデータを生成する生成手段と、前記複数の対象画像をクラスタ分割するクラスタ分割手段と、前記クラスタ分割手段で分割したクラスタの中から所定のクラスタを選択するクラスタ選択手段と、前記クラスタ選択手段で選択したクラスタについて、未選抜画像が所定の枚数以上である場合、未選抜画像の少なくとも一部を選択する画像選択手段とを有し、前記生成手段は、前記画像選択手段で選択した未選抜画像の一覧画面が再生されるように前記データを生成することを特徴とする。